(57)【要約】      （修正有）【課題】手のひらで保持、またはカスタネットの連結部材でもある指を通すゴム紐に指を入れなくても、カスタネットの音を鳴らすことのできるカスタネットホルダーを提供する。【解決手段】カスタネットの打片同士が開口した状態で収納できるように、前方開口部が後方開口部より広い形状の収納袋本体に、カスタネットが落ちないように、カスタネットの連結部材を引っ掛けられる留め具を設けたカスタネット本体ホルダーに、手や手首にはめられるよう長さの調節の可能なベルト６を取り付ける。【選択図】図１
0003157748.tif 000002
【実用新案登録請求の範囲】
【請求項１】
カスタネットの打片同士が開口した状態で収納できるように、前方開口部が後方開口部より広い形状の収納袋本体に、カスタネットの連結部材を引っ掛けることのできる留め具を、後方開口部に取り付けたカスタネットホルダー。
【請求項２】
前記に、手や手首に装着できる長さ調節可能なベルトを取り付けたことを特徴とする請求項１記載のカスタネットホルダー。
【考案の詳細な説明】
【技術分野】
【０００１】  この考案は、カスタネットを収納袋に入れた状態で使用できるカスタネットホルダーに関するものである。
【背景技術】
【０００２】  従来カスタネットを使用する際はホルダーに入れた状態ではなく、手のひらで保持する、またはカスタネットの連結部材でもある指を通すゴム紐に指を入れて、他方の打片の開口部を打撃することにより音を鳴らしていた。【０００３】  カスタネットとは、手のひらに収まる程度の大きさの丸い貝型の木片を２枚合わせ、これを打ち合わせることによって音を鳴らす打楽器である。端にゴム紐を通して蝶番とし、このゴム紐に片手の中指または人差し指を通して、反対側の手や指先で軽く弾ませて打って使用していた。【０００４】  また片側の打片側面に、手に装着するためのベルトを設け、互いの打片を打ち付けることにより、打撃音を生ずる手打拍子器がある（例えば特許文献１参照）。【０００５】  また手袋本体にカスタネットの一方の打辺を固定し、他方の打片の開口部を打撃することにより音を鳴らすものがあった（例えば特許文献２参照）。
【先行技術文献】
【特許文献１】特開２００５−１８１４４３
【特許文献２】実用新案登録番号  第３０１２５９８号
【考案の概要】
【考案が解決しようとする課題】
【０００６】  カスタネットの連結部材でもある指を通す箇所に指を入れて音を鳴らす場合は、指に障害のある方は使用が困難である。【０００７】  またカスタネットの連結部材でもある、指を通す箇所は収縮性のあるゴムであることが多いため、長時間の使用により指の血管を圧迫させる場合があった。【０００８】  またカスタネットの連結部材でもある、指を通す箇所に指をはめて、手のひらを下に向けると、カスタネットは指にぶら下がった状態になり、身体の様々な部位や他の物体に打ち付けて音を鳴らすことは難しい。【０００９】  そこでカスタネットの打片同士が開口し、打撃することにより音が鳴る状態でカスタネットを包み込むように収納できる収納袋本体に、カスタネットの連結部材でもある、通常指を通す箇所を収納袋本体に付けてある留め具に引っ掛ける。これにより、カスタネットが収納袋本体から落ちないカスタネットホルダーになる。さらにカスタネットホルダーの裏面に、手や手首に装着するためのベルトを設けたことにより、カスタネットを指に固定することなく、手や手首に装着されたカスタネットを身体の様々な部位や、他の物体に打ち付けて音を鳴らすことを目的とする。
【課題を解決するための手段】
【００１０】  この考案は、カスタネットの打片同士が開口した状態で収納でき、さらにカスタネットを連続打撃しても鳴らすことができるように、収納袋本体が３５ｍｍ〜５０ｍｍ程度開いた前方開口部に対し、後方開口部は５ｍｍ〜１０ｍｍ程度開いた形状で形成する。カスタネットの打片同士が開口した状態で収納できるようにするために、カスタネットの形状にあったほぼ円形の、直径７０ｍｍ〜８０ｍｍ程度の表面袋生地と裏面の袋生地を、前方部分が後方より３倍程度広い台形状の生地で本体側面に縫着もしくは接着する。これにより、表面の生地と裏面の生地が連結され、カスタネットを包み込む収納袋本体になる。さらにカスタネットの連結部材でもある、通常指を通すゴム紐を収納袋本体後方開口部に取り付けた留め具に引っ掛ける。これにより、カスタネットが収納袋本体から落ちないようになり、カスタネットホルダーが完成する。さらに長さの調節を可能にするために、バックルを取り付けた面ファスナー付きのベルトを本体ホルダー裏面に縫着もしくは接着する。これにより、本体ホルダーに取り付けられたベルトに手や手首を通して、カスタネットが本体ホルダーに収納された状態で、身体の様々な部位や他の物体に打ち付けてカスタネットの音を鳴らすことができるようになる。
【考案の効果】
【００１１】  この考案は、カスタネットの連結部材に指を入れることなく、手や手首に装着できるため、身体の様々な部位や他の物体に打ち付けてカスタネットの音を鳴らせるようにしたものである。したがってこの考案は、指に障害のある方でもカスタネットを鳴らすことを可能にする。さらに、肩や脚など身体の様々な部位に打ち付けることで、カスタネットの音を鳴らしながら運動することができるものである。
【図面の簡単な説明】
【００１２】
【図１】  本考案の斜視図
【図２】  本考案を上から見た図
【図３】  本考案を下から見た図
【考案を実施するための形態】
【００１３】  本考案に係るカスタネットケースの実施形態を、図面に基づいて説明する。
【００１４】  カスタネットの打片同士が開口した状態で収納できるようにするために、カスタネットの形状にあった表面袋生地１と裏側の袋生地２を、前方部分が後方より３倍程度広い台形状の生地３で本体側面に縫着もしくは接着する。これにより、表面の生地１と裏面の生地２が連結され、カスタネットを包み込む収納袋本体になる。
【００１５】  カスタネットの連結部材でもある、通常指を通すゴム紐を収納袋本体後方開口部に取り付けた留め具４に引っ掛ける。これにより、カスタネットが収納袋本体から落ちないようになる。
【００１６】  長さの調節を可能にするために、バックル５を取り付けた面ファスナー付きのベルト６を本体ホルダー裏面２に縫着もしくは接着する。これにより、本体ホルダーに取り付けられたベルトに手や手首を通して、カスタネットが本体ホルダーに収納された状態で、身体の様々な部位や他の物体に打ち付けてカスタネットの音を鳴らすことができるようになる。
【符号の説明】
【００１７】１  表面の生地
２  裏面の生地（表面の生地と対向する）
３  対向する側面生地
４  留め具（スナップファスナー、ホック、面ファスナー）
５  バックル（ベルトを締めれば引き締まる調整具）
６  掛けベルト（面ファスナー付き）
７  前方開口部（７１は後方開口部）
【図１】
0003157748.tif 000003
【図２】
0003157748.tif 000004
【図３】
0003157748.tif 000005
【手続補正書】
【提出日】平成21年11月25日(2009.11.25)
【手続補正１】
【補正対象書類名】実用新案登録請求の範囲
【補正対象項目名】請求項２
【補正方法】変更
【補正の内容】
【請求項２】
前記カスタネットホルダーに、手や手首に装着できる長さ調節可能なベルトを取り付けたことを特徴とする請求項１記載のカスタネットホルダー。